(57)【特許請求の範囲】
【請求項１】
ノードＢおよび無線ネットワークコントローラ（ＲＮＣ）を含む無線ネットワークによってエンハンストアップリンクデータを受信する方法において、
ノードＢの少なくとも１つのハイブリッド自動再送要求（ＨＡＲＱ）エンティティを使用して、エンハンストアップリンク信号を受信するステップと、
少なくとも１つのＨＡＲＱエンティティを使用する前記ノードＢによって、前記受信されたエンハンストアップリンク信号に応答して、ダウンリンクシグナリングチャネル上で肯定応答メッセージまたは否定応答メッセージを送信するステップと、
前記ノードＢの前記少なくとも１つのＨＡＲＱエンティティによって、前記受信されたアップリンク信号から、プロトコルデータユニット（ＰＤＵ）を再生するステップと、
前記ノードＢによって、前記再生されたＰＤＵを前記ＲＮＣへ転送するステップであって、前記ノードＢは前記再生されたＰＤＵの各々のフレーム番号を示している、ステップと、
前記ＲＮＣによって、少なくとも１つの再順序化バッファの中に前記再生されたＰＤＵをストアするステップと、
前記ＲＮＣによって、前記ＰＤＵのシーケンス番号および前記ノードＢによって示された前記フレーム番号に基づいて、前記再生されたＰＤＵを並べ替えるステップと
を備えることを特徴とする方法。
【請求項２】
前記少なくとも１つのＨＡＲＱエンティティは、前記ノードＢの媒体アクセス制御（ＭＡＣ）エンティティのコンポーネントであり、および、前記少なくとも１つの再順序化バッファは、前記ＲＮＣのＭＡＣエンティティのコンポーネントであることを特徴とする請求項１に記載の方法。
【請求項３】
前記再生されたＰＤＵは、媒体アクセス制御（ＭＡＣ）ＰＤＵであることを特徴とする請求項１に記載の方法。
【請求項４】
無線ネットワークが少なくとも含む、エンハンストアップリンクデータを受信するノードＢにおいて、
少なくとも１つのハイブリッド自動再送要求（ＨＡＲＱ）エンティティを使用して、エンハンストアップリンク信号を受信するよう構成された回路であって、前記回路は、前記少なくとも１つのＨＡＲＱエンティティを使用して、前記受信されたエンハンストアップリンク信号に応答して、ダウンリンクシグナリングチャネル上で肯定応答メッセージまたは否定応答メッセージを送るようにさらに構成され、前記回路は、前記受信されたアップリンク信号から、前記少なくとも１つのＨＡＲＱエンティティによってプロトコルデータユニット（ＰＤＵ）を再生するようさらに構成され、前記回路は、前記再生されたＰＤＵを無線ネットワークコントローラ（ＲＮＣ）へ転送するようさらに構成され、前記ノードＢが前記再生されたＰＤＵの各々のフレーム番号を示している、回路
を備えたことを特徴とするノードＢ。
【請求項５】
前記少なくとも１つのＨＡＲＱエンティティは、前記ノードＢの媒体アクセス制御（ＭＡＣ）エンティティのコンポーネントであることを特徴とする請求項４に記載のノードＢ。
【請求項６】
前記再生されたＰＤＵは、媒体アクセス制御（ＭＡＣ）ＰＤＵであることを特徴とする請求項４に記載のノードＢ。
【請求項７】
受信されたエンハンストアップリンクデータを処理する無線ネットワークコントローラ（ＲＮＣ）において、
ノードＢによって転送された、再生されたプロトコルデータユニット（ＰＤＵ）を少なくとも１つの再順序化バッファの中にストアするよう構成された回路であって、前記ＰＤＵのシーケンス番号および前記ノードＢによって示された前記ＰＤＵのフレーム番号に基づいて、前記再生されたＰＤＵを並べ替えるようさらに構成された回路
を備えたことを特徴とするＲＮＣ。
【請求項８】
前記少なくとも１つの再順序化バッファは、前記ＲＮＣのＭＡＣエンティティのコンポーネントであることを特徴とする請求項７に記載のＲＮＣ。
【請求項９】
前記再生されたＰＤＵは、媒体アクセス制御（ＭＡＣ）ＰＤＵであることを特徴とする請求項７に記載のＲＮＣ。
【発明の詳細な説明】
【背景技術】
【０００１】
本発明は、１つの無線送受信ユニット（Wireless Transmit/Receive Unit：ＷＴＲＵ）、少なくとも１つのノードＢ、および１つの無線ネットワーク制御装置（Radio Network Controller：ＲＮＣ）を含む無線通信システムに関する。より詳細には、本発明はエンハンスト・アップリンク（Enhanced Uplink：ＥＵ）送信において、不連続データ・ブロックを転送する方法およびシステムに関する。
【０００２】
３ＧＰＰ（3rd Generation Partnership Project）のリリース６において、上りリンク（UpLink：ＵＬ）のカバリッジ、スループット、および伝送遅延を改善するための方法が検討されている。これらの方法をうまく実装するために、ＲＮＣは、ノードＢに対して総合的な制御権は保持しているけれども、ＵＬの物理的資源のスケジューリングおよび割り当てが、ＲＮＣからノードＢへと移されている。これにより、ノードＢは、短期的にはＲＮＣより効率的にＵＬ無線資源を決定し管理することができる。
【０００３】
１つまたは複数の独立しているＵＬ送信が、共通の時間間隔内に、ＷＴＲＵおよびＵＴＲＡＮ（ＵＭＴＳ（Universal Mobile Telecommunication System） Terrestrial Radio Access Network）の間のＥ−ＤＣＨ（Enhanced Dedicated Channel）上において処理される。この一例は、媒体アクセス制御（ＭＡＣ）層Ｈ−ＡＲＱ（Hybrid-Automatic Repeat reQuest）または単純なＭＡＣ層のＡＲＱ動作であろう。これらにおいては、ＵＴＲＡＮによる受信が成功するためには、個別の送信のそれぞれが異なる数の再送信を必要とする場合がある。この動作は、ＭＡＣ層において送信シーケンスの欠落をもたらす場合がある。
【０００４】
適切な動作のためには、無線リンク制御（Radio Link Control：ＲＬＣ）層によって、順序通りの（In-sequence）データ配送が必要とされる。受信データ・ブロックをＷＴＲＵのＲＬＣエンティティにおいて発生された順序に従って編成するために、再順序化(re-ordering)機能が必要である。従来技術においては、不連続データ・ブロックの上位層への配送のために、データ転送タイマが利用されている（このタイマは、ＨＳＤＰＡ（High Speed Downlink Packet Access）においては、Ｔ１タイマと呼ばれる）。正しく受信されたデータ・ブロックが不連続受信のために上位層に配送不可能である場合に、このタイマは初期化される。タイマが満了すると、次の不連続受信データ・ブロックまでの再順序化バッファ中のすべてのデータ・ブロックが上位層に転送される。
【発明の概要】
【発明が解決しようとする課題】
【０００５】
通常の動作においてさえ、送信の間に時折セルの輻輳により比較的長い間隔が発生する。このため、データ転送タイマに対して、適切に期間を設定することは難しい。加えて、ＲＬＣ確認モード（Acknowledged Mode：ＡＭ）において順序が狂って配送されると、不必要な再送信がもたらされる場合がある。このため、データ転送タイマが適切に動作するように設定をする際には、最悪の場合の遅延が考慮されねばならない。送信エラーは回避不可能であるため、ＲＬＣ再送信手順を実行する際にこのタイマの仕組みにより遅延時間が増大し、許容できない遅延時間にまで至る可能性がある。
【０００６】
サービス品質（Quality of Service：ＱｏＳ）を維持するために、連続配送を提供する際に送信は不必要に遅延されるべきではない。適切なＱｏＳを提供するためには、タイマの仕組みは効率的ではない。タイマの期間が短過ぎる場合には、ある特定の送信が遅延しただけで、順序の狂った（out of sequence）送信として誤って認識される場合があり、不必要にＲＬＣ再送信を求める要求やチャンネルのリリースが起こり得る。タイマの期間が長過ぎる場合には、失敗した送信の検出および復旧が遅れ、伝送遅延は小さくなければならないというＱｏＳ要件を達成するのが難しくなり得る。狂った順序のための転送タイマの期間を決定することは、再送信のスケジューリングにおける変動が比較的大きいことによってさらに複雑になる。
【課題を解決するための手段】
【０００７】
本発明は、ＥＵ送信において不連続データ・ブロックを転送する方法および装置に関連する。ＷＴＲＵおよび１つまたは複数のノードＢは、ＥＵ送信を支援するための１つまたは複数のＡＲＱ／Ｈ−ＡＲＱ処理を含む。ＷＴＲＵによって送信されたデータ・ブロックは、ノードＢまたはＲＮＣ中に位置する再順序化エンティティにおいて再順序化される。欠落しているデータ・ブロックが識別されると、ノードＢまたはＲＮＣにおいてデータ転送タイマが起動され、その後のＷＴＲＵ送信は監視される。そして、欠落しているデータ・ブロックがＷＴＲＵによって廃棄されたかどうかを判定する。欠落しているデータ・ブロックの廃棄を認識した場合には、その不連続データ・ブロックは上位層に転送される。
【０００８】
絶対的優先度方式において、上位優先度のデータ・ブロックは常に下位優先度のデータ・ブロックの前に処理され、かつ同一優先度のデータ・ブロックの中では最も前の（earliest）送信シーケンス番号（Transmission Sequence Number：ＴＳＮ）を持つデータ・ブロックが最初に処理される。そのような仕組みにおいて、次の場合に、ノードＢは、ＷＴＲＵが欠落しているブロックを廃棄したと認識することができる。すなわち、ノードＢにおけるＷＴＲＵに対する利用可能でかつアクティブなすべてのＨ−ＡＲＱ処理が、１）欠落しているデータ・ブロックと比較して同一の優先度かつより後のＴＳＮを持つ新規な送信、または２）欠落しているデータ・ブロックと比較してより低い優先度の新規な送信、のいずれかの受信に成功した場合である。          
【発明の効果】
【０００９】
以上説明したように、本発明によって、１つの無線送受信ユニット、少なくとも１つのノードＢ、および１つの無線ネットワーク制御装置（ＲＮＣ）を含む無線通信システムが得られ、従来技術の問題を解決する。
【図面の簡単な説明】
【００１０】
【図１Ａ】本発明の一実施形態による、データ再順序化エンティティを持つ１つまたは複数のノードＢを含む無線通信システムのブロック図である。
【図１Ｂ】本発明の別の実施形態による、データ再順序化エンティティを持つＲＮＣを含む無線通信システムのブロック図である。
【図２】図１Ａおよび図１Ｂのシステムのいずれかを使用して不連続データ・ブロックを転送する処理のフロー図である。
【図３】図１Ｂのシステムを使用して不連続データ・ブロックを転送する処理のフロー図である。
【発明を実施するための形態】
【００１１】
好適な実施形態の記述から、本発明をより詳細に理解することができる。これらの実施例は、例示的なものとして与えられており、添付されている図面とともに理解されるべきである。
【００１２】
これ以降、用語「ＷＴＲＵ」には、これらに限定するものではないが、ユーザ装置（User Equipment：ＵＥ）、移動機、固定または移動体の加入者ユニット、ページャ、または無線環境において動作可能な他のいかなるタイプの装置も含まれる。用語「ノードＢ」には、これ以後参照される場合、これらに限定するものではないが、基地局、サイト制御装置、アクセス・ポイント、または無線環境における他のいかなるタイプのインタフェース装置が含まれる。
【００１３】
本発明の機能は、集積回路（ＩＣ）に組み入れること、または多数の内部接続された部品より成る回路に構成することができる。
【００１４】
図１Ａは、本発明の一実施形態による無線通信システム１００のブロック図であり、データ再順序化エンティティ１２２を持つ１つまたは複数のノードＢを含む。システム１００は、ＷＴＲＵ１０２、１つまたは複数のノードＢ１０４、およびＲＮＣ１０６を備えている。ＷＴＲＵ１０２は、割り当てられたＥ−ＤＣＨ（Enhanced Dedicated ＣＨannel）１４２を通して、Ｅ−ＤＣＨデータを送信する。ノードＢ１０４は、Ｈ−ＡＲＱまたは単純ＡＲＱ動作を使用してノードＢ１０４におけるデータ復号の成否に従って、確認（ＡＣＫ）メッセージまたは非確認（ＮＡＣＫ）メッセージのいずれかを、ＤＬ（Down Link）ＥＵ信号チャンネル１４４を通して送信する。これは、ＷＴＲＵ１０２およびノードＢ１０４において、それぞれＡＲＱ／Ｈ−ＡＲＱ／Ｈ−ＡＲＱ処理１１２およびＡＲＱ／Ｈ−ＡＲＱ処理１２８として示されている。
【００１５】
図１Ａを参照すると、ＥＵ送信のための新しいＭＡＣエンティティ１１０、１２０、１３０（すなわち、「ＭＡＣ−ｅ」エンティティ）が、それぞれＷＴＲＵ１０２、ノードＢ１０４、およびＲＮＣ１０６に含まれている。ノードＢ１０４のＭＡＣ−ｅエンティティ１２０は、順序通りのデータ配送を行うための、再順序化エンティティ１２２、データ再順序化バッファ１２４、およびデータ転送タイマ１２６を含む。ＷＴＲＵ１０２によりＥ−ＤＣＨ１４２を介して送信されたデータは、上位層に転送される前に再順序化エンティティ１２２により再順序化される。再順序化エンティティ１２２は、データ・ブロック（ＭＡＣ−ｅプロトコル・データ・ユニット（Protocol Data Unit：ＰＤＵ））を受信し、連続したＴＳＮを持つＭＡＣ−ｅ  ＰＤＵを上位層に配送する。連続していないＭＡＣ−ｅ  ＰＤＵは（すなわち、データ・ブロックが欠落していることになる）、データ転送タイマ１２６の満了まで、上位層には配送されない。再順序化エンティティ１２２は、ＡＲＱ／Ｈ−ＡＲＱ処理１２８が認識していること（ｋｎｏｗｌｅｄｇｅ）を使用して、欠落しているデータ・ブロックがＷＴＲＵ１０２によって廃棄されたかどうかを判断し、不連続データ・ブロックを上位層に転送する。
【００１６】
図１Ｂは、本発明の別の実施形態によって動作する、無線通信システム１５０のブロック図である。システム１５０は、データ再順序化エンティティ１３２を持ったＲＮＣを含んでいる。システム１５０はまた、図１Ａのシステム１００と同様に、ＷＴＲＵ１０２、１つまたは複数のノードＢ１０４、およびＲＮＣ１０６を備える。しかしながら、再順序化エンティティ１２２を含むノードＢ１０４の代わりに、データ・ブロックの順序通りのデータ配送を行うために、ＲＮＣ１０６のＭＡＣ−ｅエンティティ１３０が、再順序化エンティティ１３２、データ再順序化バッファ１３４、およびデータ転送タイマ１３６をそれぞれ含んでいる。Ｅ−ＤＣＨ１４２を介してＷＴＲＵ１０２により送信されたデータは、上位層に転送される前に、再順序化エンティティ１３２により再順序化される。再順序化エンティティ１３２は、ノードＢ１０４を介して、データ・ブロック（ＭＡＣ−ｅプロトコル・データ・ユニット（ＰＤＵ））を受信し、連続したＴＳＮを持つＭＡＣ−ｅ  ＰＤＵを上位層に配送する。連続していないＭＡＣ−ｅ  ＰＤＵは、データ転送タイマ１３６の満了までは、上位層には配送されない。再順序化エンティティ１３２は、ノードＢ１０４におけるＡＲＱ／Ｈ−ＡＲＱ処理１２８が認識していることを使用して、欠落しているデータ・ブロックがＷＴＲＵ１０２によって廃棄されたかどうかを判断し、不連続データ・ブロックを上位層に転送する。
【００１７】
Ｈ−ＡＲＱ処理割り当ての仕組みは、データ・ブロックの絶対的優先度に基づいていることが望ましい。ＵＴＲＡＮ（すなわち、ノードＢまたはＲＮＣのいずれか）における再順序化バッファにおいて、特定の送信シーケンス番号（ＴＳＮ）のデータ・ブロックが欠落していることが認識された後で、再順序化エンティティ１２２、１３２は、次の場合に、欠落しているデータ・ブロックが失われていると判定する。すなわち、欠落しているデータ・ブロックの検出に引き続き、ノードＢ１０４の中において、そのＷＴＲＵ１０２に対する利用可能であり、しかもアクティブなすべてのＡＲＱ／Ｈ−ＡＲＱ処理１２８が、１）同一の優先度クラスでより後のシーケンス番号を持つ送信として起動された新規な送信、または２）より低い優先度クラスを持つ送信として起動された新規な送信、のいずれかを有する場合に、データ・ブロックが失われたと判定する。このような場合には、再順序化エンティティ１２２、１３２は、データ・ブロックがＭＡＣ層において失われていると判定し、その不連続データ・ブロックを上位層に転送する。
【００１８】
図２は、本発明の一実施形態による不連続データ・ブロックを転送する処理２００のフロー図である。処理２００は、図１Ａのシステム１００または図１Ｂのシステム１５０の構成のいずれかを使用して実施することができる。ノードＢ１０４は、それぞれのＷＴＲＵ１０２に対して有限な数のＡＲＱ／Ｈ−ＡＲＱ処理１２８を維持（ｍａｉｎｔａｉｎ）している。ＲＮＣ１０６における再順序化エンティティ１３２は、ＷＴＲＵ１０２およびノードＢ１０４におけるＨ−ＡＲＱ動作に関する情報（ｋｎｏｗｌｅｄｇｅ）を持っていない場合がある。したがって、図１Ｂに示されたシステム１５０の構成が使用される場合には、再順序化エンティティ１３２が、ＷＴＲＵ１０２が欠落しているデータ・ブロックを廃棄しているか否かを判定することができるように、ノードＢ１０４はＲＮＣ１０６に必要な情報を提供する。
【００１９】
ノードＢ１０４またはＲＮＣ１０６は、ＷＴＲＵ１０２からデータ・ブロックを受け取り、正しく復号されたデータ・ブロックはノードＢ１０４の再順序化バッファ１２４、またはＲＮＣ１０６の再順序化バッファ１３４において順序通りに再配列される。システム１５０の構成が使用される場合には、送信が受信された際に、ノードＢ１０４は、Ｈ−ＡＲＱ処理ＩＤ、および／またはフレーム番号とともに、復号化に成功したデータ・ブロックをＲＮＣ１０６に転送する。フレーム番号は、ＮＤＩが受信された際のフレーム、または送信が成功した際のフレームのいずれかでありえる。
【００２０】
ノードＢ１０４の再順序化エンティティ１２２、またはＲＮＣ１０６の再順序化エンティティ１３２は、ＴＳＮを利用して欠落しているデータ・ブロックを認識する（ステップ２０２）。ＷＴＲＵ１０２により、それぞれのデータ・ブロックに一意なＴＳＮが割り当てられる。欠落しているデータ・ブロックがあることを認識すると、ノードＢ１０４はデータ転送タイマ１２６を初期化し、またはＲＮＣはデータ転送タイマ１３６を初期化する（ステップ２０４）。再順序化エンティティ１２２または再順序化エンティティ１３２は、それぞれデータ転送タイマ１２６または１３６が満了したかを判定する（ステップ２０６）。タイマ１２６またはタイマ１３６が満了した場合には、再順序化エンティティ１２２または１３２は、不連続データ・ブロックを上位層に転送し、そして上位層のデータ復旧手順が起動される（ステップ２１０）。
【００２１】
データ転送タイマ１２６またはデータ転送タイマ１３６が満了していない場合には、再順序化エンティティ１２２または再順序化エンティティ１３２はさらに、ＷＴＲＵ１０２での既知のＨ−ＡＲＱ処理割り当ての仕組みに基づき、欠落しているデータ・ブロックがＷＴＲＵ１０２によって廃棄されたかを判定する（ステップ２０８）。ステップ２０８において廃棄されたデータ・ブロックをＲＮＣ１０６が決定すると、その送信が受信されたフレーム番号からそのＨ−ＡＲＱ処理が暗黙のうちに決定できる。Ｈ−ＡＲＱ処理割り当ておよびＨ−ＡＲＱ処理の引き続く割り当てに対する規則に基づいた順序の狂った受信に引き続き、ノードＢ１０４またはＲＮＣ１０６は、ＷＴＲＵ１０２が特定の送信をいつ廃棄したかを判定することができる。
【００２２】
ＷＴＲＵ１０２におけるＨ−ＡＲＱ処理割り当ての仕組みは、他の仕組みによって実装することもできるが、データ・ブロックの絶対的優先度に基づいていることが望ましい。絶対的優先度方式においては、より高い優先度のデータ・ブロックは常に低い優先度データ・ブロックより先に処理され、そして同一優先度のデータ・ブロックの中では、最も先のＴＳＮを持つデータ・ブロックが最初に処理される。このような仕組みにおいては、ノードＢ１０４またはＲＮＣ１０６は、次のような場合に、ＷＴＲＵ１０２が欠落しているデータ・ブロックを廃棄したと認識することができる。すなわち、ノードＢにおいてＷＴＲＵ１０２に対して利用可能かつアクティブなすべてのＡＲＱ／Ｈ−ＡＲＱ処理１２８が、１）欠落しているデータ・ブロックと比較して同一の優先度であってしかもより後のＴＳＮを持つ新規な送信、または、２）欠落しているデータ・ブロックと比較してより低い優先度の新規な送信のいずれかを受信することに成功している場合である。
【００２３】
あるいはまた、次の場合にも、ノードＢ１０４またはＲＮＣ１０６は、そのＷＴＲＵ１０２がその欠落しているデータ・ブロックを廃棄したと認識することができる。すなわち、失われたデータに関連付けられたＨ−ＡＲＱ処理が、１）欠落しているデータ・ブロックと比較して同一の優先度であってしかもより後のＴＳＮを持つ新規な送信、または、２）欠落しているデータ・ブロックと比較してより低い優先度の新規な送信、のいずれかを受信することに成功している場合である。そのＨ−ＡＲＱ処理は、送信／受信の時間により識別することができる。その時間は、フレームまたはサブフレーム番号のいずれかとして示すことができる。
【００２４】
いずれかの条件が満足された場合には、ノードＢ１０４またはＲＮＣ１０６は、ＭＡＣ層において、欠落しているデータ・ブロックがＷＴＲＵ１０２によって廃棄されと判定する。そして、データ転送タイマ１２６またはデータ転送タイマ１３６の満了を待つことなく、再順序化エンティティ１２２または再順序化エンティティ１３２は不連続データ・ブロックを上位層に転送する。いずれの条件も満足されない場合、ノードＢ１０４またはＲＮＣ１０６は、欠落しているデータ・ブロックは廃棄されていないと判定する。処理２００はステップ２１２に進み次のＴＴＩまたはデータ・ブロックを待ち、そして処理２００はステップ２０６に戻る。
【００２５】
ノードＢ１０４は、新規データインジケータ（New Data Indicator：ＮＤＩ）を受信することによって、新しい送信を認識することができる。ＮＤＩは、ある送信が新規データであるかそれとも古いデータ（再送信）であるかを表示するために使用される。古いデータに関しては、ノードＢ１０４おいてある種の組み合わせることが可能である。Ｈ−ＡＲＱ処理送信カウンタによってＮＤＩを表現することもできる。Ｈ−ＡＲＱ処理送信が初期値に設定された場合には、これがＮＤＩを表すこととなる。新規な送信はまた、復号の後に、受信された送信待ち行列識別子（ＩＤ）およびＴＳＮによっても判定できる。
【００２６】
ノードＢ１０４はそれぞれのＷＴＲＵ１０２に対して、いくつかの再順序化待ち行列を支援することができ、そして順序の狂いの検出および転送のロジックは、それぞれの再順序化待ち行列に対して独立して動作することができる。
【００２７】
別の実施形態において、ＷＴＲＵ１０２におけるＨ−ＡＲＱ処理割り当ての仕組みは、失われたデータ・ブロックに関連付けられる。絶対的優先度方式においては、より高い優先度のデータ・ブロックが常に低優先度のデータ・ブロックより先に処理され、そして同一優先度のデータ・ブロックの中では、最も先のＴＳＮを持つデータ・ブロックが最初に処理される。このような仕組みにおいては、ノードＢ１０４は、次のような場合に、ＷＴＲＵ１０２が欠落しているデータ・ブロックを廃棄したと認識することができる。すなわち、ノードＢにおけるＷＴＲＵ１０２に対して利用可能であってアクティブなすべてのＡＲＱ／Ｈ−ＡＲＱ処理１２８が、１）欠落しているデータ・ブロックと比較して同一の優先度であってより後のＴＳＮを持つ新規な送信、または、２）欠落しているデータ・ブロックと比較してより低い優先度の新規な送信、のいずれかを受信することに成功している場合である。
【００２８】
いずれかの条件が満足された場合には、ノードＢ１０４は、ＭＡＣ層において、欠落しているデータ・ブロックがそのＷＴＲＵ１０２によって廃棄されたと判定し、次にデータ転送タイマ１２６の満了を待つことなく、再順序化エンティティ１２２は不連続データ・ブロックを上位層に転送する。いずれの条件も満足されない場合には、ノードＢ１０４は、欠落しているデータ・ブロックは廃棄されていないと判定し、処理２００はステップ２１２に進む。ノードＢ１０４の場合には次のＴＴＩを、またはＲＮＣ１０６の場合には次のデータ・ブロックを待つ。次のＴＴＩが起こり、または次のデータ・ブロックが受信されると、処理２００はステップ２０６に戻る。
【００２９】
ノードＢ１０４は、新規データインジケータ（ＮＤＩ）を受信することによって、新規な送信を認識することができる。ノードＢ１０４においてＨ−ＡＲＱ追跡が組み合わせることを可能とするために、ＮＤＩを使用することができる。新規な送信は、受信された送信待ち行列識別子（ＩＤ）およびＴＳＮが復号されることによっても判定できる。
【００３０】
図３は本発明の第３の実施形態による、不連続データ・ブロックを転送する処理３００のフロー図である。この実施形態においては、欠落しているデータ・ブロックがあるということを、ＲＮＣ１０６がノードＢ１０４に通知する。ノードＢ１０４は、ＷＴＲＵ１０２がその欠落しているデータ・ブロックを廃棄したかを検出し、それをＲＮＣ１０６に報告する。
【００３１】
ＲＮＣ１０６における再順序化エンティティ１３２は、再順序化バッファ１３４中に欠落しているデータ・ブロックがあるかをチェックする（ステップ３０２）。欠落しているデータ・ブロックが全くなければ、処理３００はステップ３１２に進み、次の受信データ・ブロックを待つ。欠落しているデータ・ブロックがあると、再順序化エンティティ１３２はデータ転送タイマ１３６を初期化し、ノードＢ１０４へ、「監視開始（ｓｔａｒｔ  ｗａｔｃｈ）」コマンドを送る（ステップ３０４）。再順序化バッファ１３４中において順序の狂ったデータ・ブロックが認識されたときにノードＢ１０４によって元々報告されたフレーム番号、ならびに欠落しているデータ・ブロックの優先度およびシーケンス番号もまた、「監視開始」コマンドに含まれている。
【００３２】
ＲＮＣ１０６から監視開始コマンドを受け取った後に、ノードＢ１０４はその時点のデータベースをチェックし、ＲＮＣ１０６により示されたフレーム番号に引き続くすべてのデータ・ブロックを確認する。さらに、ＷＴＲＵ１０２での既知のＨ−ＡＲＱ処理割り当ての仕組みに基づき、欠落しているデータ・ブロックをＷＴＲＵ１０２が廃棄したかを判定するために、引き続く送信を監視する（ステップ３０６）。上で説明されたように、ＡＲＱ／Ｈ−ＡＲＱ処理１１２は、絶対的優先度方式に従い割り当てられることが望ましい。そのような場合においては、ノードＢは、ＷＴＲＵ１０２に対して利用可能であってアクティブなすべてのノードＢ内のＡＲＱ／Ｈ−ＡＲＱ処理１２８が、１）欠落しているデータ・ブロックと比較して同一の優先度であるがより後のＴＳＮを持つ新規な送信、または、２）欠落しているデータ・ブロックと比較してより低い優先度の新規な送信、のいずれかを有するかどうかを判定する。
【００３３】
いずれかの条件が満足された場合には、ノードＢ１０４は、Ｅ−ＤＣＨフレーム・プロトコルを介してＲＮＣ１０６における再順序化エンティティ１３２に送信失敗メッセージを送る（ステップ３０８）。送信失敗メッセージにおいては、再順序化待ち行列ＩＤを示す優先度、およびデータ・ブロックのシーケンス番号もまた、含まれている。その後、ノードＢ１０４は、そのようなイベントを監視することを停止する。いずれの条件も満足されない場合には、処理３００はステップ３１２に進み、次の受信データ・ブロックを待つ。
【００３４】
送信失敗メッセージを受け取ると、タイマが満了する前にＲＮＣ１０６中の再順序化機能は、不連続データ・ブロックを上位層に転送する（ステップ３１０）。
【００３５】
本発明の機能および要素が特定の組み合わせにおける好適な実施形態において記述されている。それぞれの機能または要素は、好適な実施形態の他の機能および要素なしで単独で使用することができる。また、本発明の他の機能および要素のあるなしにかかわらず様々に組み合わせることによって、使用することもできる。
【００３６】
本発明を好適な実施形態にとともに説明してきたが、当業者にとっては、特許請求の範囲の中に記載された本発明の範囲の中にある他の変形が可能なことも明らかであろう。
【産業上の利用可能性】
【００３７】
本発明は、一般的に無線通信システムに利用することができる。
【符号の説明】
【００３８】
１００  システム
１０２  ＷＴＲＵ
１０４  ノードＢ
１０６  ＲＮＣ
１１０、１２０、１３０  ＭＡＣ−ｅ
１２２  最順序化エンティティ
【図１Ａ】
0005605915.tif 000002
【図１Ｂ】
0005605915.tif 000003
【図２】
0005605915.tif 000004
【図３】
0005605915.tif 000005